(57)【特許請求の範囲】
【請求項１】
ケーシングと、
前記ケーシング内に配置されており、互いに独立した第１空間と第２空間を形成すると同時に、前記第２空間に隣接する第３空間を形成し、且つ吸入口と排出口を有するファンと、
前記吸入口に配置されるカバーアセンブリと、を備え、
前記カバーアセンブリは、
前記ケーシングに結合し、且つ第１開口と第２開口を有し、前記第１開口が前記吸入口に対応して設置される本体と、
前記本体と間隔を置いて設置されてギャップを形成し、サイズは前記第１開口のサイズより大きなカバーと、を備え、
更に、前記ファン内に設置されると同時に、前記排出口に対応して設置される可動式ウインドディフレクターと、
前記第２空間に設置される制御回路基板と、を備え、
気流は前記ギャップを通じて前記第１開口、前記吸入口及び前記第１空間を流れると同時に、前記可動式ウインドディフレクターは前記気流を前記第２開口に誘導して排出させ、または前記排出口に誘導して排出させ、
前記第２空間は前記ファンの側壁に位置し、前記第３空間は第５開口を有することによって、前記ファンの外部に連通することを特徴とする、換気扇。
【請求項２】
前記気流は前記第２開口を通じて室内に排出し、または前記排出口を通じて室内以外の空間に排出させることを特徴とする、請求項１に記載の換気扇。
【請求項３】
前記可動式ウインドディフレクターは移動式または回転式であると同時に、前記可動式ウインドディフレクターは、前記気流の一部を前記第２開口に誘導して排出し、前記気流の他部分を前記排出口に誘導して排出し、且つ前記ファンが作動しない時、前記制御回路基板は、前記可動式ウインドディフレクターの移動または回転を制御することで、前記排出口を遮蔽することを特徴とする、請求項１に記載の換気扇。
【請求項４】
複数の風向板及び少なくとも１つのレバーを更に備え、
前記レバーは前記複数の風向板の片側に連結されると共に、
前記カバーは第３開口を有し、前記第３開口は前記第２開口に対応して設置され、前記気流は前記第２開口及び前記第３開口から排出させ、
前記複数の風向板は前記第２開口と前記第３開口との間に設置されると同時に、前記レバーを介して前記気流の排出方向を調整するために用いられることを特徴とする、請求項１に記載の換気扇。
【請求項５】
前記制御回路基板に電気的に接続される動作感知モジュールを更に備え、前記動作感知モジュールは動作感知素子、光検知素子及び発光素子を有し、前記動作感知素子、光検知素子及び発光素子は、前記カバーアセンブリの前記カバーに設置されると共に、それぞれ前記制御回路基板に電気的に接続され、且つ前記動作感知素子又は光検知素子の作動時には、それぞれ動作検知信号または光量不足信号を前記制御回路基板に送ることで、前記換気扇を自動的に起動して回転させまたは前記発光素子を発光させることを特徴とする、請求項１に記載の換気扇。
【請求項６】
前記ファンは、モータ及び前記モータに結合されたブレードを更に有し、前記モータは駆動回路を更に有し、前記駆動回路は前記モータ及び前記ブレードを駆動して回転させることを特徴とする、請求項１に記載の換気扇。
【請求項７】
前記モータが直流モータであり、前記制御回路基板は整流モジュールと降圧モジュールを更に有し、前記整流モジュールは交流電源と前記降圧モジュールに電気的に接続され、前記降圧モジュールは前記駆動回路に電気的に接続されると同時に、前記整流モジュールは入力された前記交流電源を直流電源に整流し、且つ前記降圧モジュールによって前記直流電源を降圧させた後、前記直流モータ及び前記駆動回路に供給することを特徴とする、請求項６に記載の換気扇。
【請求項８】
前記ファンの前記可動式ウインドディフレクターと前記カバーアセンブリの前記本体の前記第２開口との間で前記第２開口に対応する位置に設置され、前記制御回路基板が前記可動式ウインドディフレクターを制御して前記気流を前記第２開口に誘導する前段で、前記気流を加熱する加熱器を更に備えることを特徴とする、請求項１に記載の換気扇。
【請求項９】
前記制御回路基板に電気的に接続される第１温度センサを更に備え、前記第１温度センサは前記ファンの前記吸入口に設置され、前記吸入口の前記気流の温度を感知するために用いられることを特徴とする、請求項８に記載の換気扇。
【請求項１０】
前記加熱器は、複数の加熱素子を備えると同時に、起動された前記加熱素子の数量に基づいて複数種類の加熱モードを定めており、前記複数種類の加熱モードは、前記第１温度センサによって前記吸入口の前記気流の温度を感知して、前記制御回路基板の継電器を介して切り替えられることを特徴とする、請求項９に記載の換気扇。
【請求項１１】
前記制御回路基板に電気的に接続される第２温度センサを更に備え、前記第２温度センサは前記加熱器上に設置されると同時に、前記第２温度センサが前記加熱器の温度異常を検知した時、温度警告信号を前記制御回路基板に送信することで、前記制御回路基板は、ブザーまたはクラクションを制御してアラーム音を鳴らし、且つ前記加熱器及び前記換気扇を制御して加熱器及び換気扇をオフにすることを特徴とする、請求項１０に記載の換気扇。
【発明の詳細な説明】
【技術分野】
【０００１】
本発明は換気扇に関するものであり、特に、多機能な応用性を有する換気扇に関するものである。
【背景技術】
【０００２】
技術が進化するにつれて、人々は生活用品の品質をますます重視するようになり、なかでも空気の質と人々の健康は密接に関係しており、きわめて重要である。しかしながら、今日では、防音効果やクーラー運転時の断熱効果を高めるために、特殊な建築材料を使用して建物内に無換気の部屋を構築する方法はよく知られているが、この方法では建物の換気量が不足するため、人体にとって有害な汚染物質の換気を行うことができない。
【０００３】
通常の換気扇は、単純な換気設計であり、その換気方式をユーザーのニーズに基づいて調整して異なるニーズに応じることができず、また、換気扇から発生するノイズもかなり大きい。よって、多機能の効果を達するために、ユーザのニーズに基づいて、換気モードを調整することができる低ノイズの換気扇を如何にして提供するかが、重要な課題となっている。
【発明の概要】
【発明が解決しようとする課題】
【０００４】
上記課題に鑑み、本発明の目的は、低ノイズのみならず、ユーザーのニーズに基づいて換気方式を調整でき、多機能な応用性を達すると同時に、優れた防湿効果も達することによって、製品の信頼性を向上することができる換気扇を提供することを課題とする。
【課題を解決するための手段】
【０００５】
本発明に係る換気扇は、ケーシングと、前記ケーシング内に配置されており、互いに独立した第１空間と第２空間を形成すると同時に、前記第２空間に隣接する第３空間を形成し、且つ吸入口と排出口を有するファンと、前記吸入口に配置されるカバーアセンブリと、を備え、前記カバーアセンブリは、前記ケーシングに結合し、且つ第１開口と第２開口を有し、前記第１開口が前記吸入口に対応して設置される本体と、前記本体と間隔を置いて設置されてギャップを形成し、サイズは前記第１開口のサイズより大きなカバーと、を備え、更に、前記ファン内に設置されると同時に、前記排出口に対応して設置される可動式ウインドディフレクターと、前記第２空間に設置される制御回路基板と、を備え、気流は前記ギャップを通じて前記第１開口、前記吸入口及び前記第１空間を流れると同時に、前記可動式ウインドディフレクターは前記気流を前記第２開口に誘導して排出させ、または前記排出口に誘導して排出させ、前記第２空間は前記ファンの側壁に位置し、前記第３空間は第５開口を有することによって、前記ファンの外部に連通することを特徴とする。
【０００６】
一実施例において、可動式ウインドディフレクターは移動式または回転式であると同時に、可動式ウインドディフレクターは、気流の一部を第２開口に誘導して排出し、前記気流の他部分を排出口に誘導して排出し、且つファンが作動しない時、制御回路基板は、可動式ウインドディフレクターの移動または回転を制御することで、排出口を遮蔽する。
【０００７】
一実施例において、ファンはモータ及び前記モータに結合されたブレードを更に有し、前記モータは駆動回路を更に有し、駆動回路は前記モータ及びブレードを駆動して回転させる。
【０００９】
一実施例において、ケーシングは、排出口に対応する開口を更に有し、且つファンの開口に対応する箇所にはバッフルが更に設置され、バッフルはシャフトを介して開口に軸着すると同時に、ファンが作動しない時に、バッフルは開口を閉じる。
【００１０】
一実施例において、カバーアセンブリは、複数の固定部と複数の結合部を更に備える。前記複数の固定部は本体に設置され、前記複数の結合部はカバーに設置されると同時に、前記複数の結合部はそれぞれ前記複数の固定部に対して結合される。
【００１１】
一実施例において、換気扇は複数の風向板及び少なくとも１つのレバーを更に備え、レバーは前記複数の風向板の片側に連結されると共に、カバーは第３開口を有し、第３開口は第２開口に対応して設置され、気流は第２開口及び第３開口から排出させ、前記複数の風向板は、第２開口と第３開口との間に設置されると同時に、前記レバーを介して気流の排出方向を調整するために用いられる。
【００１２】
一実施例において、換気扇は、制御回路基板に電気的に接続される動作感知モジュールを更に備え、動作感知モジュールは動作感知素子と、光検知素子及び発光素子を有し、動作感知素子と、光検知素子及び発光素子はカバーアセンブリのカバーに設置されると共に、それぞれ制御回路基板に電気的に接続され、且つ動作感知素子が作動する時、動作感知素子は動作検知信号を制御回路基板に送ることで、換気扇を自動的に起動して回転させることができる。光検知素子が作動する時、発光素子を発光させることができる。
【００１３】
一実施例において、前記モータが直流モータであり、制御回路基板は整流モジュールと降圧モジュールを更に有し、整流モジュールは交流電源と降圧モジュールに電気的に接続され、降圧モジュールは駆動回路に電気的に接続されると同時に、整流モジュールは入力された交流電源を直流電源に整流し、且つ降圧モジュールによってこの直流電源を降圧した後、直流モータ及び駆動回路に供給する。
【００１４】
一実施例において、換気扇は、本体に分離可能に摺接し、第１開口に装着されるフィルターを更に備える。換気扇は、加熱器を更に備え、この加熱器は、ファンの可動式ウィンドデフレクターとカバーアセンブリの本体の第２開口との間で第２開口に対応する位置に設置され、制御回路基板が可動式ウィンドデフレクターを制御して気流を第２開口に誘導する前に、加熱器が気流を加熱するようにする。
【００１５】
一実施例において、換気扇は、第１温度センサと第２温度センサを更に備え、第１温度センサと第２温度センサはそれぞれ制御回路基板に電気的に接続される。第１温度センサはファンの吸入口に設置され、吸入口の気流温度を感知するために用いられる。また、加熱器は、複数の加熱素子を備えると同時に、起動された加熱素子の数量に基づいて複数種類の加熱モードを定めており、前記複数種類の加熱モードは、第１温度センサによって吸入口の気流温度を感知して、制御回路基板の継電器を介して切り替えられる。また、第２温度センサは加熱器上に設置されると同時に、第２温度センサが加熱器の温度異常を検知した時、温度警告信号を制御回路基板に送信することで、制御回路基板は、ブザーまたはクラクションを制御してアラーム音を鳴らすと同時に、加熱器および換気扇を制御して加熱器および換気扇をオフにする。
【発明の効果】
【００１６】
上記より、本発明の換気扇において、ファンは互いに独立した第１空間と第２空間を形成し、カバーアセンブリのカバーと本体は間隔を置いて設置されることで隙間を形成し、可動式ウィンドデフレクターは排出口に対応して設置されると同時に、制御回路基板は第２空間に設置される。また、気流は前記隙間を介して吸入口に流れると同時に、可動式ウインドディフレクターは気流を排出口に誘導して排出し、または第２開口に誘導して排出する。このように、本発明の換気扇は、その各機器が互いに仕切られた独立した空間内に設けられ、それらの機器が気流によって振動したり干渉したりすることもないため、低ノイズで作動し、ユーザのニーズに基づいて各種換気モードに切り換え、調節可能にすることで、換気、ヒーター、乾燥、またはクーラーなどの多機能性を達成することができる。また、制御回路基板は第２空間に配置されると同時に、第２空間と気流が流れる第１空間及び第３空間とは互いに独立した空間であるため、制御回路基板を設けた第２空間内で気流中の水蒸気が凝縮して結露することは少なく、そのため好ましい防湿効果を達することができ、製品の信頼性を向上することができる。
【図面の簡単な説明】
【００１７】
【図１Ａ】本発明の好ましい実施例の換気扇の外観概略図である。
【図１Ｂ】図１Ａに示される換気扇の分解図である。
【図２Ａ】図１Ａに示される換気扇の直線Ａ−Ａに沿った断面図である。
【図２Ｂ】図１Ａに示される換気扇の直線Ａ−Ａに沿った別の作動状態における断面図である。
【図２Ｃ】図１Ａに示される換気扇の直線Ａ−Ａに沿った更に別の作動状態における断面図である。
【図３】図１Ａに示される換気扇の内部を別の角度から見た一部破断概略図である。
【発明を実施するための形態】
【００１８】
関連する図面を参照しながら、本発明の好ましい実施例に係る換気扇を以下の通りに説明し、このうち同じ部材は同じ符号を付して説明する。本発明の全ての実施態様は、概略的なものであり、実際のサイズと比率を表すものではない。また、以下の実施例の内容において、「上」および「下」の方向は相対的な位置関係を示すために使用される。また、１つの部材がもう１つの部材「上」、「の上」、「下」、または「の下」に設けられるという記述は、実施例における１つの部材ともう１つの部材が直接的に結合されている場合のほか、１つの部材ともう１つの部材との間にその他の部材が介在することにより、当該１つの部材と当該もう１つの部材が直接的には結合されていない場合も含まれる。
【実施例】
【００１９】
図１Ａから図２Ｃまでをそれぞれ参照されたい。図１Ａは本発明の好ましい実施例の換気扇の外観概略図である。図１Ｂは図１Ａに示される換気扇の分解図であり、図２Ａから図２Ｃはそれぞれ図１Ａの換気扇の直線Ａ−Ａに沿った異なる態様の断面図である。
【００２０】
換気扇１はケーシング１１と、ファン１２と、カバーアセンブリ１３と、可動式ウインドディフレクター１４と、制御回路基板１５とを備える。換気扇１は加熱器１８とフィルター１９を更に備える。本実施例の換気扇１は、例えば、ベッドルーム、バスルーム、トイレ、キッチン、またはオフィスなどの室内に設置することができ、ユーザの設定に基づいて、室内の空気を室外に排出し、または室内に導入し、または空気の一部を室外に排出すると同時にそれと入れ替わりに室外の空気を室内に取り入れることで、空気の流動を維持する等によって、換気、暖房、乾燥、または冷房などの多機能性を実現することができる。実際の応用において、換気扇１は、例えば、メザニン（中二階）の天井（即ち、中二階の床の下面）に設置し、カバーアセンブリ１３が下方を向くように取り付けることもできる。
【００２１】
ケーシング１１は、収容空間Ｓを有すると同時に、ファン１２は、ケーシング１１の収容空間Ｓ内に設置されて取付けられる。ファン１２は、互いに独立した第１空間Ｓ１と第２空間Ｓ２を形成し、且つ吸入口１２１と排出口１２２を有する。具体的に言えば、第２空間Ｓ２は第１空間Ｓ１に隣接すると同時に、第１空間Ｓ１とは互いに連通しない。第１空間Ｓ１は吸入口１２１と排出口１２２に連通すると同時に、気流を通過させる。第２空間Ｓ２は制御回路基板１５を収容するために用いられる。第１空間Ｓ１と第２空間Ｓ２は互いに独立しているため、制御回路基板１５が流動する気流の影響を受けることはない。ケーシング１１の材料は、例えば、プラスチック、ガラス繊維強化プラスチック、金属、または合金であるが、これらに限定されない。
【００２２】
本実施例のファン１２はモータ１２３及びブレード１２４を更に備え、モータ１２３は、例えば、アウタロータ直流モータであるが、これに限定されない。モータ１２３は駆動回路（図示されない）を更に有し、駆動回路は、モータ１２３を駆動して回転させることにより、モータ１２３に結合されたブレード１２４を駆動して回転させることで、空気を吸入口１２１から第１空間Ｓ１に吸入した後、排出口１２２、またはその他の開口から排出することができる（詳細説明は以下で述べる）。また、本実施例において、ケーシング１１は開口Ｏを更に有し、開口Ｏはファン１２の排出口１２２に対応する位置に設けられると共に、開口Ｏには、バッフル１２５が更に設置され、バッフル１２５は少なくとも１つのシャフト１２６を介して開口Ｏに軸着される。換気扇１のファン１２が作動（起動）し、且つ気流が排出口１２２及び開口Ｏから排出される時、気流はバッフル１２５を押し開けるして排出される（開口Ｏは送風管に接続され、気流を室外、または送風管内へ誘導することができる）。換気扇１のファン１２が作動しない（起動しない）時、バッフル１２５は重力で開口Ｏを閉じることによって、外部気流が開口Ｏからファン１２内に逆流するのを避けることができる。
【００２３】
カバーアセンブリ１３は、ファン１２の吸入口１２１に臨むように設置されると同時に、本体１３１とカバー１３２を備える。本体１３１は、ケーシング１１を覆うように取り付けられ、且つ第１開口Ｏ１と第２開口Ｏ２を有し、第１開口Ｏ１は吸入口１２１に対向するように設置される。カバー１３２のサイズは本体１３１の第１開口Ｏ１のサイズより大きく、且つカバー１３２と本体１３１は間隔を置いて設置されてギャップＧを形成する。ギャップＧの距離は５ｍｍから３０ｍｍが好ましいが、特に限定されない。つまり、本実施例のカバー１３２と本体１３１は、平行に設置した２つの板状部材であると同時に、両者の間にはギャップＧを有し、空気はギャップＧから第１開口Ｏ１及び吸入口１２１を通過してファン１２内に導入される。
【００２４】
本実施例の本体１３１の第１開口Ｏ１は、リブによって、複数の開口部に分けられるが、この態様に限定されない。リブは構造強度を提供する以外に、換気扇１を作動させる時、フィルター１９を固定することができる。フィルター１９は本体１３１に分離可能に摺接し、第１開口Ｏ１に取り付けることで、ユーザはフィルター１９を取り外しやすくなり、したがって洗い易くなる。よって、フィルター１９を本体１３１に摺接させ、且つ本体１３１とカバー１３２の間にギャップＧを形成させるように設計することによって、ユーザは、カバー１３２を開いたり、取り外したりしなくてもフィルター１９を取り替えることができるため、フィルター１９のクリーニングが比較的に簡単となり、便利である。
【００２５】
カバーアセンブリ１３は、複数の固定部１３１１と複数の結合部１３１２（図２Ａを参照）を更に備え、前記複数の固定部１３１１はそれぞれ本体１３１上に設けられ、前記複数の結合部１３１２はそれぞれカバー１３２上に設けられ、これら複数の結合部１３１２は前記複数の固定部１３１１にそれぞれ対応して結合させることでギャップＧを形成する。本実施例において、各結合部１３１２はそれぞれカバー１３２の内面から本体１３１に向けて延伸すると同時に、各固定部１３１１にそれぞれ対応する。結合部１３１２と固定部１３１１は、例えば、互いに係合可能なほぞ構造であり、カバー１３２と本体１３１を取り外し可能にすることができる。または、本体１３１とカバー１３２を確実に結合させることを考量して、ねじによって結合部１３１２を固定部１３１１に締め付けるように構成することもできる。さらに、本体１３１とカバー１３２の二者が間隔を置いて設置されて、ギャップＧを形成することで、横吸込み式の気流吸入を実現することが可能になる。
【００２６】
よって、換気扇１が作動する時、気流はギャップＧを経由して第１開口Ｏ１（及びフィルター１９）、吸入口１２１へ流れ、更に吸入口１２１を通過した後、ファン１２を通過し、排出口１２２、またはその他の開口から排出することができる。つまり、換気扇１が天井に水平に設置される場合には、縦吸込み式ではなく横吸込み式の吸入方式によって、空気をギャップＧから吸入することで、カバー１３２にほこりがたまるのを回避できる。さらに、カバー１３２は吸入口を有しないため、正面に吸入口を有している従来の換気扇のカバーと比べて、本実施例の換気扇１は更に低ノイズの効果を有する。また、本実施例のカバー１３２は正面に吸入口を有していないため、防水の機能を有する。例えば、換気扇１が浴室に設置された場合、仮に、ユーザーがシャワー時に、誤ってファン1に水を掛けた時、カバー１３２は直接ファン１２に水が入るのを防ぐことができるため、モーターの作動には影響がない。
【００２７】
カバー１３２は更に第３開口Ｏ３を有し、第３開口Ｏ３は本体１３１の第２開口Ｏ２に対応して設置される。また、本実施例の換気扇１は複数の風向板１６及び少なくとも１つのレバー１７（図２Ａ〜図２Ｃ参照）を更に備え、前記複数の風向板１６は第２開口Ｏ２と第３開口Ｏ３との間に設置されると同時に、レバー１７は前記複数の風向板１６の片側に連結される。本実施例は１つのレバー１７を備える場合を例とし、且つ前記複数の風向板１６はこのレバー１７に係合される。レバー１７及び前記複数の風向板１６を設置することによって、気流の排出方向を調整することができる。より好ましいのは、ユーザの設定（例えば、図１Ｂに示した制御パネル１５２によって直接設定を行うか、またはリモコン装置によって遠隔操作設定を行う）に基づいて、ステッピングモーター制御などによって、レバー１７を自動的に駆動して作動させることで、前記複数の風向板１６を駆動して回転させて、前記複数の風向板１６を開いた状態（気流が第３開口Ｏ３から排出可能）、または閉じた状態（気流が第３開口Ｏ３から排出不可）にすることによって、排出量、排出方向と角度を制御することができる。異なる実施例において、手動方式を介してレバー１７を操作することで前記複数の風向板１６を開閉することもできる。また、その他の実施例において、前記複数の風向板１６は固定角度として動かすことが出来ないようにすることもでき、更に本発明はこれらのいずれにも限定されるものではない。
【００２８】
可動式ウインドディフレクター１４はファン１２内に設置されると同時に、排出口１２２に対応して設置される。可動式ウインドディフレクター１４は移動式または回転式であり、且つ手動制御または自動制御であるが、これらに限定されるものではない。本実施例において、ユーザは本体１３１に設置した制御パネル１５２で設定を行うか、またはリモコン装置によって、遠隔操作設定を行い、制御回路基板１５を介して可動式ウインドディフレクター１４の移動または回転を制御することで、気流を排出口１２２に誘導して排出するか、または第２開口Ｏ２（と第３開口Ｏ３）に誘導して排出するか、または気流の一部を第２開口Ｏ２に誘導して排出し、この気流の他部分を排出口１２２に誘導して排出する。また、換気扇１のファン１２が作動しない（起動しない）時、可動式ウインドディフレクター１４は下向きに移動または回転するように制御回路基板１５によって制御されて排出口１２２を遮蔽すると同時に、開口Ｏに合わせて設置したバッフル１２５が開口Ｏを閉じることによって、外部気流が開口Ｏ、または排出口１２２からファン１２に逆流するのを二重に防止できる効果を達することができる。
【００２９】
よって、図２Ａに示すように、制御回路基板１５が可動式ウインドディフレクター１４を上向きに移動または回転（第２開口Ｏ２を遮蔽）させるように制御する時、気流はギャップＧを経由して第１開口Ｏ１、吸入口１２１及び第１空間Ｓ１を流れると同時に、可動式ウインドディフレクター１４は気流を排出口１２２に誘導して、排出口１２２及び開口Ｏを経由して室内以外の空間に排出する（例えば、室外、またはパイプに排出）ことで、室内換気の目的を達することができる。
【００３０】
また、図２Ｂに示すように、加熱器１８は、ファン１２の可動式ウインドディフレクター１４と本体１３１の第２開口Ｏ２との間に設置され、且つ第２開口Ｏ２に対応しており、制御回路基板１５が可動式ウインドディフレクター１４を下向きに移動または回転させるように制御して排出口１２２を遮蔽する時、気流はギャップＧを経由して第１開口Ｏ１、吸入口１２１及び第１空間Ｓ１を流れると同時に、可動式ウインドディフレクター１４は気流を第２開口Ｏ２に誘導して、且つ第３開口Ｏ３を経由して室内に排出する。制御回路基板１５が可動式ウインドディフレクター１４を制御して気流を第２開口Ｏ２に誘導する前に、加熱器１８は気流に対して加熱することで、室内に排出した気流を暖かく、乾燥した空気にすることができる。
【００３１】
さらに、図２Ｃに示すように、制御回路基板１５が可動式ウインドディフレクター１４の移動または回転を制御して一部の排出口１２２を遮蔽し、且つ一部の第２開口Ｏ２を遮蔽する時、気流はギャップＧを経由して第１開口Ｏ１、吸入口１２１及び第１空間Ｓ１を流れると同時に、可動式ウインドディフレクター１４は気流の一部を第２開口Ｏ２（加熱器１８によって加熱することができる）へ誘導し、且つ気流の他部分を排出口１２２へ誘導することで、一部の気流を第３開口Ｏ３から室内に排出させ、もう一部の気流を開口Ｏから室内以外の空間に排出させることによって、一部の換気と、一部の循環の目的を達することができる。よって、本実施例の換気扇１はユーザのニーズに基づいて、可動式ウインドディフレクター１４の動作設計を介して排出方式を調整することによって、換気、ヒーター、乾燥、またはクーラーなどの多機能の応用を実現することができる。
【００３２】
次に、図３を参照されたい。図３は、図１Ａの換気扇の内部を別の角度から見た一部破断概略図である。図３では、換気扇１のカバー１３２は下向きに置かれており、且つ図１Ｂにおける制御回路基板１５を覆ったカバー１５１を図示していない。
【００３３】
制御回路基板１５は少なくとも１つの整流モジュールと、降圧モジュール及び継電器（いずれも図示を省略）を備え、整流モジュールは交流電源（ＡＣ）と降圧モジュールに電気的に接続されると同時に、降圧モジュールはモータ１２３（この場合、直流モータ）の駆動回路に電気的に接続されることによって、整流モジュールは入力された交流電源（ＡＣ）を直流電源に整流し、且つ降圧モジュールを介して直流電源を降圧した後、モータ１２３（直流モータ）及びその駆動回路に供給するようになっている。
【００３４】
制御回路基板１５は第２空間Ｓ２に配置されると同時に、ファン１２の側壁に貼り合わせられている。また、本実施例のファン１２には第２空間Ｓ２に隣接する第３空間Ｓ３（図１Ｂ、図３参照）を更に形成すると同時に、第３空間Ｓ３と第２空間Ｓ２との間には第４開口Ｏ４を設け、第４開口Ｏ４は、主に換気扇１の電源配線を貫通させて制御回路基板１５に電気的に接続させるためのものである。その電源配線は、第４開口Ｏ４を貫通した後、この第４開口Ｏ４を密封することで、外部湿気、または水蒸気が第４開口Ｏ４から第２空間Ｓ２内に入るのを回避することができる。また、制御回路基板１５はファン１２のハウジングの側面（第２空間Ｓ２内）に配置されるため、気流が流れる第１空間Ｓ１と、制御回路基板１５を設けた第２空間Ｓ２とを隔てる（即ち、第１空間Ｓ１と第２空間Ｓ２を連通させない）ことができ、更に、カバー１５１によって第２空間Ｓ２を覆うように密封することで、水蒸気が制御回路基板１５を設けた第２空間Ｓ２内に入りにくくなる。これによって、水蒸気が制御回路基板１５に凝縮、結露しにくくなり、よりよい防湿効果を達することで、製品の信頼性を向上することができる。
【００３５】
ファン１２は更に第５開口Ｏ５（図１Ｂ、図３参照）を有し、第５開口Ｏ５は第３空間Ｓ３に連通することによって、ファン１２の外部に連通する。よって、第３空間Ｓ３の設置によって、換気扇１が室内換気、または除湿機能を起動する時、気流、または水蒸気／湿気／熱気は、ギャップＧを経由して第１開口Ｏ１、吸入口１２１を流れて換気扇１内に入り、そのうち、多くの気流、または水蒸気／湿気／熱気は、順に第１空間Ｓ１、排出口１２２及び開口Ｏを経由して室内以外の空間に排出され、一方、ファン１２内に留まったごく一部の熱気は第３空間Ｓ３に流れてから、第５開口Ｏ５に排出される（ファン１２の外部、または換気扇１の外部に排出される）。よって、水蒸気が制御回路基板１５を設けた第２空間Ｓ２内で凝縮、結露せず、よりよい防湿効果を達することで、製品の信頼性を向上させることができる。
【００３６】
本実施例の換気扇１は動作感知モジュール（図では省略）を更に備え、動作感知モジュールは制御回路基板１５に電気的に接続される。この場合、動作感知モジュールは動作感知素子（図示しない）と光検知素子（例えば、フォトレジスターであるがこれに限定されない）及び発光素子（例えば、発光ダイオードであるがこれに限定されない）を有する。前記動作感知素子と光検知素子及び発光素子は回路基板に配置することができると同時に、この回路基板はカバーアセンブリ１３のカバー１３２に設置することができる。更に、動作感知素子と光検知素子及び発光素子はそれぞれ制御回路基板１５に電気的に接続され、換気扇１を取り付けた部屋（例えば、浴室）に人が入るのを動作感知素子が検知した時、動作感知素子は動作感知信号を制御回路基板１５に送信し、この時、換気扇１は、制御回路基板１５を介して自動的に起動し回転することができる。仮に、光検知素子を合わせて利用する場合には、部屋の輝度が足りないとき、光検知素子が作動して、光量不足信号を制御回路基板１５に送信し、発光素子を同時に起動して発光させることができる。また、部屋の輝度が足りている場合、人が部屋に入るのが動作感知素子によって検知された時は、換気扇１だけを起動して回転させて、発光素子は発光させない（即ち、光検知素子が、光量不足信号を送信することはない）。
【００３７】
注意すべきことは、本実施例の換気扇１は第１温度センサと第２温度センサを更に備え、且つ第１温度センサと第２温度センサはそれぞれ制御回路基板１５に電気的に接続される。そのうち、第１温度センサはファン１２の吸入口１２１のそばに設置され、吸入口１２１付近の気流温度を感知することにより、換気扇１のウォームアップ制御、または温度調節の機能（この点は後で再び詳細に説明する）を実現する。また、第２温度センサは加熱器１８の上に設置され、加熱器１８の異常を検出するためのものとして使用される。例えば、第２温度センサが、加熱器１８の温度が摂氏７０℃を超えたと感知した時、温度警告信号を制御回路基板１５に送信し、この時、制御回路基板１５はブザーまたはクラクションを制御してアラーム音を鳴らすことができると同時に、加熱器１８および換気扇１を制御してこれらをオフにすることができる。
【００３８】
前記ウォームアップ制御、または温度調節の機能に合わせて、加熱器１８は更に複数組の加熱素子（図示されない）を備える。本実施例において、加熱器１８は、３組の加熱素子を備えると同時に、起動された加熱素子の数量に基づいて３種類の加熱モードを定めており、この３つの加熱モードはそれぞれ第１組加熱素子と第２組加熱素子、及び第３組加熱素子の起動を表すが、上記３つの加熱モードは、第１温度センサによって吸入口１２１付近の気流温度を感知して、それに基づき上記継電器によって３つの加熱モードが切り替えられる。以下では、例を挙げて説明するが、本願の操作温度は下記の実施態様に限定されるものではない。
【００３９】
第１加熱モードは、例えば、第１温度センサで感知した温度が第１温度範囲にある時に、第１組加熱素子を起動して加熱を行うモードであり、前記第１温度範囲は、例えば、摂氏４０℃以上である。第２加熱モードは、例えば、第１温度センサで感知した温度が第２温度範囲にある時に、第２組加熱素子をさらに起動して加熱を行うモードであり、前記第２温度範囲は、例えば、摂氏３５℃から４０℃の間である。第３加熱モード（即ち、ウォームアップモード）は、例えば、第１温度センサで感知した温度が第３温度範囲にある時に、第３組加熱素子をさらに起動して（即ち、全部の加熱素子を起動して）加熱を行うモードであり、全部の加熱素子を起動して加熱を行うことにより、ウォームアップの機能を達することができる。この場合の前記第３温度範囲は、例えば、摂氏３０℃から３５℃の間である。
【００４０】
上記より、本発明の換気扇において、ファンは互いに独立した第１空間と第２空間を形成し、カバーアセンブリのカバーと本体は間隔を置いて設置されることで隙間を形成し、可動式ウィンドデフレクターは排出口に対応して設置されると同時に、制御回路基板は第２空間に設置される。また、気流は前記隙間を介して吸入口に流れると同時に、可動式ウインドディフレクターは気流を排出口に誘導して排出し、または第２開口に誘導して排出する。このように、本発明の換気扇は、その各機器が互いに仕切られた独立した空間内に設けられ、それらの機器が気流によって振動したり干渉したりすることもないため、低ノイズで作動し、ユーザのニーズに基づいて各種換気モードに切り換え、調節可能にすることで、換気、ヒーター、乾燥、またはクーラーなどの多機能性を達成することができる。また、制御回路基板は第２空間に配置されると同時に、第２空間と気流が流れる第１空間及び第３空間とは互いに独立した空間であるため、制御回路基板を設けた第２空間内で気流中の水蒸気が凝縮して結露することは少なく、そのため好ましい防湿効果を達することができ、製品の信頼性を向上することができる。
【００４１】
上記実施例は例示的なものであって、限定するためのものではない。本発明の技術的思想および範囲から逸脱することなく行われる等価の修正または変更は、いずれも別紙の特許請求の範囲に含まれる。
【産業上の利用可能性】
【００４２】
本発明は以上の如く構成したため、低ノイズのみならず、ユーザーのニーズに基づいて、換気方式を調整し、多機能性を達すると同時に、優れた防湿効果をも達成することによって、製品の信頼性を向上することができる換気扇を提供し得るものである。
【符号の説明】
【００４３】
１      換気扇
１１    ケーシング
１２    ファン
１２１  吸入口
１２２  排出口
１２３  モータ
１２４  ブレード
１２５  バッフル
１２６  シャフト
１３    カバーアセンブリ
１３１  本体
１３１１  固定部
１３１２  結合部
１３２  カバー
１４    可動式ウインドディフレクター
１５    制御回路基板
１５１  カバー
１５２  制御パネル
１６    風向板
１７    レバー
１８    加熱器
１９    フィルター
Ｇ      ギャップ
Ｏ      開口
Ｏ１    第１開口
Ｏ２    第２開口
Ｏ３    第３開口
Ｏ４    第４開口
Ｏ５    第５開口
Ｓ      収容空間
Ｓ１    第１空間
Ｓ２    第２空間
Ｓ３    第３空間
【図１Ａ】
0006275192.tif 000002
【図１Ｂ】
0006275192.tif 000003
【図２Ａ】
0006275192.tif 000004
【図２Ｂ】
0006275192.tif 000005
【図２Ｃ】
0006275192.tif 000006
【図３】
0006275192.tif 000007